(57)【特許請求の範囲】
【請求項１】
躯体表面に取り付けられた仕上材を撤去する仕上材撤去方法であって、
前記仕上材のうち少なくとも一部を撤去対象とし、
前記撤去対象と前記周縁部との境界は、略水平方向に延びる２辺および略鉛直方向に延びる２辺からなる矩形状であり、
前記境界の４辺のうち１辺を除いてスリットを形成するとともに、当該除いた１辺の略中央のみに穴を形成し、
当該穴を拡げるように力を加えて前記撤去対象を取り外すことを特徴とする仕上材撤去方法。
【請求項２】
躯体表面に取り付けられた仕上材を撤去する仕上材撤去方法であって、
前記仕上材のうち少なくとも一部を撤去対象とし、
前記撤去対象と当該撤去対象の周縁部との境界は、略水平方向に延びる２辺および略鉛直方向に延びる２辺からなる矩形状であり、
当該撤去対象を、水平方向に並ぶ複数の撤去部位に区切っておき、
特定の撤去部位の辺に沿って、次の撤去部位に隣接する辺を除いてスリットを形成するとともに、当該除いた辺の略中央のみに穴を形成し、当該穴を拡げるように力を加えて前記特定の撤去部位を取り外す作業を、一端側から順に各撤去部位について繰り返すことを特徴とする仕上材撤去方法。
【請求項３】
躯体表面に取り付けられた仕上材を撤去する仕上材撤去方法であって、
前記仕上材のうち少なくとも一部を撤去対象とし、
前記撤去対象と当該撤去対象の周縁部との境界は、略水平方向に延びる２辺および略鉛直方向に延びる２辺からなる矩形状であり、
当該撤去対象を、水平方向に並ぶ複数の撤去部位に区切っておき、
前記撤去対象の略水平方向に延びる２辺および一端側の略鉛直方向に延びる１辺に沿ってスリットを形成しておき、
特定の撤去部位について、次の撤去部位に隣接する辺の略中央のみに穴を形成し、当該穴を拡げるように力を加えて前記特定の撤去部位を取り外す作業を、一端側から順に各撤去部位について繰り返すことを特徴とする仕上材撤去方法。
【発明の詳細な説明】
【技術分野】
【０００１】
本発明は、仕上材撤去方法に関する。詳しくは、鉄筋コンクリート躯体の表面に設けられたモルタル層を撤去する仕上材撤去方法に関する。
【背景技術】
【０００２】
従来より、塗装やクロス貼りの下地として、鉄筋コンクリート壁の表面にモルタル層を設けることが多いが、仕上げの改修工事や耐震補強工事を行う場合には、このモルタル層を撤去する。
具体的には、チッパーやハンマードリルなどの打撃工具によりモルタル層に打撃を加えて破壊することで、モルタル層を撤去する。
【０００３】
しかしながら、この方法では、モルタル層に打撃を加える際に、騒音、振動、粉塵が発生するため、作業環境が過酷になり、作業効率が低い、という問題があった。
また、モルタル層を徹去した後の壁表面には、打撃工具により、打撃痕やクラックなどの損傷が生じてしまい、構造的に問題となる揚合がある。
【０００４】
そこで、モルタル層に穴を開けて、剥離装置により穴を拡げるように力を加えることで、モルタル層をコンクリート面から剥離させる方法が提案されている（特許文献１参照）。
この方法によれば、モルタル層に打撃を加えないため、躯体表面の損傷を抑制できるうえに、振動・騒音・粉塵の発生を抑制できる。
【先行技術文献】
【特許文献】
【０００５】
【特許文献１】特開２００２−７０３３０号公報
【発明の概要】
【発明が解決しようとする課題】
【０００６】
しかしながら、特許文献１に示された方法では、撤去対象のみを確実に撤去することが困難であった。すなわち、モルタル層の付着力や強度は均一ではないため、剥離装置により穴を拡げると、撤去対象でない部分まで剥離させてしまう場合があった。
【０００７】
本発明は、仕上材の撤去対象の部分のみを確実に撤去できる仕上材撤去方法を提供することを目的とする。
【課題を解決するための手段】
【０００８】
請求項１に記載の仕上材撤去方法は、躯体表面に取り付けられた仕上材を撤去する仕上材撤去方法であって、前記仕上材のうち少なくとも一部を撤去対象とし、前記撤去対象と前記周縁部との境界は、略水平方向に延びる２辺および略鉛直方向に延びる２辺からなる矩形状であり、前記境界の４辺のうち１辺を除いてスリットを形成するとともに、当該除いた１辺の略中央のみに穴を形成し、当該穴を拡げるように力を加えて前記撤去対象を取り外すことを特徴とする。
【００１０】
本発明では、前記躯体は、鉄筋コンクリート造の壁であり、前記仕上材は、壁面に塗り付けられたモルタル層であることが好ましい。
【００１１】
この発明によれば、撤去対象とこの撤去対象の周縁部との境界に沿ってスリットを形成することにより、撤去対象と周縁部との縁を切る。
そして、残った境界の一部の所定位置に穴を形成し、この穴に工具を挿入して、穴を拡げるように力を加える。すると、この加えた力は、周縁部に反力をとって、撤去対象を躯体表面からずらすように作用する。これにより、躯体表面から撤去対象が取り外される。
【００１２】
よって、従来のように打撃を加えず、スリット形成作業・穴開け作業・穴の拡張作業のみで撤去対象を取り外すことができるので、振動・騒音・粉塵の発生を抑制できる。また、撤去対象に打撃を加えないため、躯体表面の損傷を抑制できる。
【００１３】
また、撤去対象と周縁部との境界にスリットを形成して、撤去対象である部分と撤去対象でない部分とを分離させたので、撤去対象の部分のみを確実に撤去できる。
【００１４】
請求項２に記載の仕上材撤去方法は、躯体表面に取り付けられた仕上材を撤去する仕上材撤去方法であって、前記仕上材のうち少なくとも一部を撤去対象とし、前記撤去対象と当該撤去対象の周縁部との境界は、略水平方向に延びる２辺および略鉛直方向に延びる２辺からなる矩形状であり、当該撤去対象を、水平方向に並ぶ複数の撤去部位に区切っておき、特定の撤去部位の辺に沿って、次の撤去部位に隣接する辺を除いてスリットを形成するとともに、当該除いた辺の略中央のみに穴を形成し、当該穴を拡げるように力を加えて前記特定の撤去部位を取り外す作業を、一端側から順に各撤去部位について繰り返すことを特徴とする。
【００１５】
この発明によれば、略水平方向に延びる撤去対象を、振動・騒音・粉塵の発生を抑制しつつ、確実に撤去できる。
【００１６】
請求項３に記載の仕上材撤去方法は、躯体表面に取り付けられた仕上材を撤去する仕上材撤去方法であって、前記仕上材のうち少なくとも一部を撤去対象とし、前記撤去対象と当該撤去対象の周縁部との境界は、略水平方向に延びる２辺および略鉛直方向に延びる２辺からなる矩形状であり、当該撤去対象を、水平方向に並ぶ複数の撤去部位に区切っておき、前記撤去対象の略水平方向に延びる２辺および一端側の略鉛直方向に延びる１辺に沿ってスリットを形成しておき、特定の撤去部位について、次の撤去部位に隣接する辺の略中央のみに穴を形成し、当該穴を拡げるように力を加えて前記特定の撤去部位を取り外す作業を、一端側から順に各撤去部位について繰り返すことを特徴とする。
【００１７】
この発明によれば、略水平方向に延びる撤去対象を、振動・騒音・粉塵の発生を抑制しつつ、確実に撤去できる。
また、スリット形成作業を最初に完了させて、その後は、穴開け作業および穴の拡張作業を繰り返すため、作業工数を低減できるから、撤去作業を迅速に行うことができる。
【発明の効果】
【００１８】
本発明によれば、従来のように打撃を加えず、スリット形成作業・穴開け作業・穴の拡張作業のみで撤去対象を取り外すことができるので、振動・騒音・粉塵の発生を抑制できる。また、撤去対象に打撃を加えないため、躯体表面の損傷を抑制できる。
【図面の簡単な説明】
【００１９】
【図１】本発明の第１実施形態に係る仕上材撤去方法が適用される壁の正面図である。
【図２】前記実施形態に係る仕上材撤去方法を説明するための壁の正面図である。
【図３】前記実施形態に係る仕上材撤去方法を説明するための壁の断面図である。
【図４】本発明の第２実施形態に係る仕上材撤去方法が適用される壁の正面図である。
【図５】前記実施形態に係る仕上材撤去方法を説明するための壁の正面図である。
【図６】本発明の第３実施形態に係る仕上材撤去方法を説明するための壁の正面図である。
【発明を実施するための形態】
【００２０】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る仕上材撤去方法が適用される建物１の壁１０の正面図である。
建物１は、鉄筋コンクリート造であり、この建物１の躯体としての壁１０は、梁２、柱３に囲まれた矩形状である。
壁１０の表面には、モルタルが塗り付けられて仕上材としてのモルタル層２０が形成されている。
【００２１】
このモルタル層２０を撤去対象として、以下の手順で撤去する。
撤去対象としてのモルタル層２０と、この撤去対象の周囲の周縁部としての梁２および柱３との境界は、略水平方向に延びる２辺２１、２３および略鉛直方向に延びる２辺２２、２４からなる矩形状である。
【００２２】
まず、図２（ａ）および図３（ａ）に示すように、コンクリートカッターなどの切削工具を用いて、４辺２１〜２４のうち辺２４を除く辺２１〜２３に沿ってスリット３１を形成する。また、コアドリルなどの削孔工具を用いて、この除いた辺２４の略中央に穴３２を形成する。
次に、図２（ｂ）および図３（ｂ）に示すように、拡張工具３３を用意し、この工具３３を穴３２に挿入して、穴３２を拡げるように力を加える。
【００２３】
ここで、拡張工具３３は、図３（ｂ）に示すように、円筒形状の筒部３３１と、この筒部３３１の内部に挿入された棒体３３２と、を備える。筒部３３１は、先端に向かうに従って内径が狭くなっており、先端側に複数のスリットが形成されている。棒体３３２の外径は、筒部３３１の先端側の内径よりも大きいが、筒部３３１の基端側の内径よりも小さくなっている。
【００２４】
拡張工具３３の先端を穴３２に挿入し、この状態で、ハンマーなどで棒体３３２の基端側に打撃を加えて、棒体３３２を筒部３３１内に深く挿入する。すると、棒体３３２に押されて、筒部３３１の先端側が拡張し、穴３２を拡げる方向に力が加わる。
【００２５】
本実施形態によれば、以下のような効果がある。
（１）モルタル層２０と梁２および柱３との境界である辺２１〜２３に沿ってスリット３１を形成することにより、モルタル層２０と梁２および柱３との縁を切る。
そして、残った辺２４の略中央に穴３２を形成し、この穴３２に工具３３を挿入して、穴３２を拡げるように力を加える。すると、この加えた力は、梁２および柱３に反力をとって、モルタル層２０を壁１０の表面からずらすように作用する。これにより、壁１０の表面からモルタル層２０が取り外される。
【００２６】
よって、従来のように打撃を加えず、スリット形成作業・穴開け作業・穴の拡張作業のみで撤去対象を取り外すことができるので、振動・騒音・粉塵の発生を抑制できる。また、モルタル層２０に打撃を加えないため、壁１０の表面の損傷を抑制できる。
【００２７】
撤去対象であるモルタル層２０と撤去対象でない梁２および柱３との境界である辺２１〜２３にスリット３１を形成して、撤去対象である部分と撤去対象でない部分とを分離させたので、撤去対象の部分のみを確実に撤去できる。
【００２８】
〔第２実施形態〕
図４は、本発明の第２実施形態に係る仕上材撤去方法が適用される建物１の壁１０Ａの正面図である。
本実施形態では、柱３のスパンが長いため、壁１０Ａが水平方向に長く、モルタル層４０を複数回に分けて撤去する点が、第１実施形態と異なる。
すなわち、モルタル層４０は、水平方向に長い矩形状である。
【００２９】
そこで、この撤去対象であるモルタル層４０を水平方向に３分割し、以下の手順で３回に分けて撤去する。
撤去対象としてのモルタル層４０と、この撤去対象の周囲の周縁部としての梁２および柱３との境界は、略水平方向に延びる２辺４１、４３および略鉛直方向に延びる２辺４２、４４からなる矩形状である。
【００３０】
ここで、モルタル層４０を、水平方向に並ぶ３つの撤去部位４０Ａ、４０Ｂ、４０Ｃに区切る。これにより、辺４１は、４１１、４１２、４１３に３分割され、辺４２は、４２１、４２２、４２３に３分割される。また、各撤去部位４０Ａ〜４０Ｃ同士の境界を、辺４５、４６とする。
【００３１】
まず、図５（ａ）に示すように、モルタル層４０の一端側に位置する撤去部位４０Ａについて、次の撤去部位４０Ｂに隣接する辺４５を除き、３辺４１１、４２、４３１に沿ってスリット５１を形成する。また、この除いた辺４５の略中央に穴５２を形成する。
次に、この穴５２に上述の拡張工具３３を挿入して、穴５２を拡げるように力を加えて、撤去部位４０Ａを撤去する。
これらの作業を、図５（ｂ）および図５（ｃ）に示すように、撤去部位４０Ｂ、４０Ｃについても順に繰り返す。
【００３２】
本実施形態によれば、以下のような効果がある。
（２）略水平方向に延びるモルタル層４０を、振動・騒音・粉塵の発生を抑制しつつ、確実に撤去できる。
【００３３】
〔第３実施形態〕
本実施形態では、第２実施形態と同様にモルタル層４０を３回に分けて撤去するが、スリットを最初に全て形成しておく点が、第２実施形態と異なる。
【００３４】
まず、図６（ａ）に示すように、モルタル層４０の３辺４１、４２、４３に沿ってスリット５１を形成する。
【００３５】
次に、撤去部位４０Ａについて、次の撤去部位４０Ｂに隣接する辺４５の略中央に穴５２を形成し、この穴５２に拡張工具３３を挿入して、穴５２を拡げるように力を加えて、撤去部位４０Ａを撤去する。
これらの作業を、図６（ｂ）および図６（ｃ）に示すように、撤去部位４０Ｂ、４０Ｃについても順に繰り返す。
【００３６】
本実施形態によれば、以下のような効果がある。
（２）略水平方向に延びるモルタル層４０を、振動・騒音・粉塵の発生を抑制しつつ、確実に撤去できる。
また、スリット形成作業を最初に完了させて、その後は、穴開け作業および穴の拡張作業を繰り返すため、作業工数を低減できるから、撤去作業を迅速に行うことができる。
【００３７】
なお、本発明は前記実施形態に限定されるものではなく、本発明の目的を達成できる範囲での変形、改良等は本発明に含まれるものである。
【００３８】
例えば、上述の第１実施形態では、モルタル層２０を一度に撤去し、第２、３実施形態では、モルタル層２０を水平方向に３分割して撤去したが、これに限らない。例えば、モルタル層２０を水平方向に分割することに加えて、上下方向にも複数に分割して撤去してもよい。
【００３９】
また、上述の各実施形態では、コンクリートカッターなどの切削工具を用いてスリット３１を形成したが、実際には、梁２および柱３の入隅部にコンクリートカッターを入れることができず、スリット３１が入隅部よりも内側寄りに形成され、モルタル層の一部が残ってしまう場合がある。この場合、本発明の仕上材撤去方法によりモルタル層２０の大部分を撤去し、その後、この残ったモルタル層を、グラインダなどの切削工具で削り取ってもよい。
【００４０】
また、スリット３１の形成、穴３２の形成、穴３２の拡張を行う際、作業箇所に水や泡を供給してもよいし、作業箇所で発生した粉塵を集塵装置で回収してもよい。このようにすれば、粉塵が周囲に飛散するのを防止できる。
【符号の説明】
【００４１】
１…建物
２…梁（周縁部）
３…柱（周縁部）
１０、１０Ａ…壁（躯体）
２０、４０…モルタル層（仕上材）
２１、２２、２３、２４、４１、４２、４３、４４、４５、４６…辺
４１１、４１２、４１３、４３１、４３２、４３３…分割した辺
３１、５１…スリット
３２、５２…穴
３３…拡張工具
４０Ａ、４０Ｂ、４０Ｃ  撤去部位
３３１…筒部
３３２…棒体
【図１】
0005622987.tif 000002
【図２】
0005622987.tif 000003
【図３】
0005622987.tif 000004
【図４】
0005622987.tif 000005
【図５】
0005622987.tif 000006
【図６】
0005622987.tif 000007